(57)【要約】      （修正有）【課題】ダクト強度が高く、軽量かつ柔軟性があり、しかも応力に対して変形し難く、潰れる虞がない保温フレキシブルダクトを提供することを目的とする。【解決手段】筒状の内側コア１０と、この内側コア１０に覆い被さるように設けた保温材２０と、この保温材２０を覆う外被材３０を含む保温フレキシブルダクト１であって、内側コア１０は、所定の幅に裁断されリボン状になった素材を筒状に巻いて貼り合せ、貼り合せ面に鋼線を重ねて筒形状を保持する構成であり、前記外被材３０は、所定の幅に裁断されリボン状になったフィルム材３１を筒状に巻いて貼り合せ、貼り合せ面に鋼線を重ねて筒形状を保持する構成であり、内側コア１０の巻いて貼り合せる方向と、外被材３０の巻いて貼り合せる方向が逆方向である。【選択図】図１
2018096627.tif 000002
【特許請求の範囲】
【請求項１】
筒状の内側コアと、この内側コアに覆い被さるように設けた保温材と、この保温材を覆う外被材を含む保温フレキシブルダクトであって、
前記内側コアは、所定の幅に裁断されリボン状になった素材を筒状に巻いて貼り合せ、貼り合せ面に鋼線を重ねて筒形状を保持する構成であり、
前記外被材は、所定の幅に裁断されリボン状になったフィルム材を筒状に巻いて貼り合せ、貼り合せ面に鋼線を重ねて筒形状を保持する構成であり、
前記内側コアの巻いて貼り合せる方向と、前記外被材の巻いて貼り合せる方向が逆方向であることを特徴とする保温フレキシブルダクト。
【発明の詳細な説明】
【技術分野】
【０００１】
この発明は、例えば、建築設備用の空調ダクトなどに使用される保温フレキシブルダクトに関する。  
【背景技術】
【０００２】
従来、建築設備用の空調ダクトとして、塩化ビニルフィルム等の外被材の内面にグラスウールや硬鋼線からなる保温材を設けた構成の保温フレキシブルダクトが知られている。このような保温フレキシブルダクトでは、保温工事が不要であるうえ、その長さ寸法を圧縮でき、全体の容量を小さくすることが可能であることから吊り込み作業が容易であり、近年では多く採用されている（例えば、特許文献１参照）。
【０００３】
この従来の保温フレキシブルダクトは、筒状の内側コアと、この内側コアに覆い被さるように設けた保温材と、この保温材を覆う外被材を含む構成であり、内側コアは、所定の幅に裁断されリボン状になった不織布を筒状に貼り合せ、貼り合せ面に鋼線を重ねて筒形状を保持するようにしながら一体化させ、外被材は、樹脂フィルムを用いて保温材を覆うものである。
【先行技術文献】
【特許文献】
【０００４】
【特許文献１】特開平８−８２４３６号公報
【発明の概要】
【発明が解決しようとする課題】
【０００５】
従来の保温フレキシブルダクトは、軽量かつ柔軟性があり、施工が容易なため多くの現場で採用されているが、保温フレキシブルダクトの筒状を保侍するための筒状に配置された鋼線が一定の方向のみに加工されているために、巻き方向と同一上に応力が掛かった場合、応力に対する抵抗力が小さく、これにより保温フレキシブルダクトが
容易に傾倒するため変形しやすいと言った問題がある。特に、施工上Ｓ字状に施工された場合、もしくは余裕が無くＬ字状に施工された場合、保温フレキシブルダクトの円形が潰れる虞がある。
【０００６】
この発明は、このような従来の問題点を解消するためになされたもので、ダクト強度が高く、軽量かつ柔軟性があり、しかも応力に対して変形し難く、潰れる虞がない保温フレキシブルダクトを提供することを目的とする。
【課題を解決するための手段】
【０００７】
前記課題を解決し、かつ目的を達成するために、この発明は、以下のように構成した。
【０００８】
請求項１に記載の発明は、筒状の内側コアと、この内側コアに覆い被さるように設けた保温材と、この保温材を覆う外被材を含む保温フレキシブルダクトであって、
前記内側コアは、所定の幅に裁断されリボン状になった素材を筒状に巻いて貼り合せ、貼り合せ面に鋼線を重ねて筒形状を保持する構成であり、
前記外被材は、所定の幅に裁断されリボン状になったフィルム材を筒状に巻いて貼り合せ、貼り合せ面に鋼線を重ねて筒形状を保持する構成であり、
前記内側コアの巻いて貼り合せる方向と、前記外被材の巻いて貼り合せる方向が逆方向であることを特徴とする保温フレキシブルダクトである。
【発明の効果】
【０００９】
前記構成により、この発明は、以下のような効果を有する。
【００１０】
請求項１に記載の発明では、保温フレキシブルダクトの内側コアは、所定の幅に裁断されリボン状になった素材を筒状に巻いて貼り合せ、貼り合せ面に鋼線を重ねて筒形状を保持する構成であり、外被材は、所定の幅に裁断されリボン状になったフィルム材を筒状に巻いて貼り合せ、貼り合せ面に鋼線を重ねて筒形状を保持する構成であり、ダクト強度が高く、軽量かつ柔軟性があるため施工が容易である。また、内側コアの巻いて貼り合せる方向と、外被材の巻いて貼り合せる方向が逆方向であることで、一方向に傾倒することがなく、応力に対する抵抗力が大きくなり、保温フレキシブルダクトが変形し難く、潰れる虞がない。
【図面の簡単な説明】
【００１１】
【図１】保温フレキシブルダクトの構造を示す図である。
【図２】保温フレキシブルダクトの一部の側面図である。
【図３】保温フレキシブルダクトの断面図である。
【図４】保温フレキシブルダクトの内側コア、保温材、外被材を示す図である。
【図５】内側コアと外被材の一部の拡大側面図である。
【発明を実施するための形態】
【００１２】
以下、この発明の保温フレキシブルダクトの実施の形態について説明する。この発明の実施の形態は、発明の最も好ましい形態を示すものであり、この発明はこれに限定されない。
【００１３】
この実施の形態の保温フレキシブルダクトを、図１乃至図５に基づいて説明する。図１は保温フレキシブルダクトの構造を示す図、図２は保温フレキシブルダクトの一部の側面図、図３は保温フレキシブルダクトの断面図、図４は保温フレキシブルダクトの内側コア、保温材、外被材を示す図、図５は内側コアと外被材の一部の拡大側面図である。
【００１４】
この実施の形態の保温フレキシブルダクト１は、筒状の内側コア１０と、この内側コア１０に覆い被さるように設けた保温材２０と、この保温材２０を覆う外被材３０を含み、例えば、建築設備用の空調ダクトなどに使用される。
【００１５】
内側コア１０は、所定の幅に裁断されリボン状になった素材１１を筒状に巻いて貼り合せ、貼り合せ面に鋼線１２を重ねて筒形状を保持する構成である。素材１１は、ＰＥＴ系不織布や織布、ＰＥＴ系フィルムなどを用いる。
【００１６】
保温材２０は、グラスウール保温材、ＰＥＴ繊維系保温材などを用いる。グラスウール保温材は、２４ｋｇ/ｍ２×２５ｍｍを標準としたものが好ましい。
【００１７】
外被材３０は、所定の幅に裁断されリボン状になったフィルム材３１を筒状に巻いて貼り合せ、貼り合せ面に鋼線３２を重ねて筒形状を保持する構成である。フィルム材３１は、軟質塩ビ樹脂フィルム、ポリエチレン樹脂フィルムを用いるが、ポリエチレン樹脂フィルムが好ましい。また、アルミニウム金属箔とポリスチレン樹脂フィルムとを貼り合わせたものや、アルミニウム蒸着ポリエチレンフィルムを用いてもよい。
【００１８】
内側コア１０の巻いて貼り合せる方向Ｘと、外被材３０の巻いて貼り合せる方向Ｙが逆方向である。貼り合せる方向Ｘ及び貼り合せる方向Ｙは、それぞれの軸方向Ｚに対するに角度θ１，θ２は特に限定されない。また、貼り合せる方向Ｘと貼り合せる方向Ｙは、同じ角度でなくてもよいが、同じ角度が好ましい。
【００１９】
保温フレキシブルダクト１は、端部１ａはスパイラルダクトや消音ボックスなどに容易に差し込み施工ができるようにダクト用布テープなどで、処理を行っている。
【００２０】
この実施の形態の保温フレキシブルダクト１は、建築設備用の空調ダクトなどに使用され、特に施工上Ｓ字状に施工された場合、もしくは余裕が無くＬ字状に施工された場合があるが、内側コア１０は、所定の幅に裁断されリボン状になった素材１１を筒状に巻いて貼り合せ、貼り合せ面に鋼線１２を重ねて筒形状を保持する構成であり、外被材３０は、所定の幅に裁断されリボン状になったフィルム材３１を筒状に巻いて貼り合せ、貼り合せ面に鋼線３２を重ねて筒形状を保持する構成であり、ダクト強度が高くなり、しかも軽量かつ柔軟性があるため施工が容易である。また、内側コア１０の巻いて貼り合せる方向Ｘと、外被材３０の巻いて貼り合せる方向Ｙが逆方向であることで、保温フレキシブルダクト１が一方向に傾倒することがなく、応力に対する抵抗力が大きくなり、Ｌ字型やＳ宇型での使用時でも変形し難く、潰れる虞がない。
【産業上の利用可能性】
【００２１】
この発明は、例えば、建築設備用の空調ダクトなどに使用される保温フレキシブルダクトに適用でき、ダクト強度が高く、軽量かつ柔軟性があり、しかも応力に対して変形し難く、潰れる虞がない。
【符号の説明】
【００２２】
１保温フレキシブルダクト
１０  内側コア
１１  素材
１２  鋼線
２０  保温材
３０  外被材
３１  フィルム材
３２  鋼線
Ｘ  内側コア１０の巻いて貼り合せる方向
Ｙ  外被材３０の巻いて貼り合せる方向
【図１】
2018096627.tif 000003
【図２】
2018096627.tif 000004
【図３】
2018096627.tif 000005
【図４】
2018096627.tif 000006
【図５】
2018096627.tif 000007